(57)【要約】【課題】電線用カバー内の水分を効率よく排出することができるとともに、雨水等が電線用カバー内に浸入するおそれを低減できる電線用カバーを提供する。【解決手段】電線用カバー１０を互いに組み合わされることによって電線の外側を覆う筒状体となる一対の半筒体１２，１４で構成する。そして、半筒体１２，１４の両端部に、電線用カバー１０の内外を連通する水抜き孔１００を形成する。さらに、水抜き孔１００よりも内側に、電線用カバー１０の内側から外側に向けて、電線用カバー１０の長手方向の中心軸Ｃから離間する方向に傾斜する内側テーパー部６０を形成する。【選択図】図３
2019186995.tif 000002
【特許請求の範囲】
【請求項１】
互いに組み合わされることによって電線の外側を覆う筒状体となる一対の半筒体を備える電線用カバーであって、
前記半筒体の両端部には、前記電線用カバーの内外を連通する水抜き孔が形成されており、
前記水抜き孔よりも内側には、前記電線用カバーの内側から外側に向けて、前記電線用カバーの長手方向の中心軸から離間する方向に傾斜する内側テーパー部が形成されていることを特徴とする電線用カバー。
【請求項２】
前記水抜き孔は、外側に向けて高さ寸法が徐々に高くなる形状となっていることを特徴とする請求項１に記載の電線用カバー。
【請求項３】
前記水抜き孔の内側端部には、前記中心軸から離間する方向に突設されたフランジ部が設けられていることを特徴とする請求項１または２に記載の電線用カバー。
【請求項４】
前記水抜き孔は、前記筒状体の長手方向の中心軸を中心として放射状に複数設けられていることを特徴とする請求項１から３のいずれか１項に記載の電線用カバー。
【発明の詳細な説明】
【技術分野】
【０００１】
本発明は、被覆から芯線を露出させた部分や一対の電線の端部同士を互いに接続した部分などにおける短絡を防止することを目的として使用する電線用カバーに関する。
【背景技術】
【０００２】
架空配電線の工事において、作業者の安全を確保するために工事個所箇所周辺にバイパス経路を施す手法が広く採用されている。そして、必要な工事が完了した後、架空配電線の被覆から芯線を露出させた部分を補修することになる。
【０００３】
架空配電線の芯線露出部分を補修する際、この露出部分からの短絡（ショート）を防止するために、絶縁性樹脂等で形成された電線用カバーを電線に被せる技術が提案されている（例えば、特許文献１）。もちろん、このような電線用カバーは、架空配電線の端部同士を接続した部分にも使用される。
【０００４】
また、架空配電線は長期間風雨にさらされることから、芯線とこれを覆う絶縁被覆との間に水分が結露し、当該水分が電線用カバー内に溜まってしまい、短絡の要因となるおそれがある。さらに、雨水が電線用カバー内に直接浸入して当該電線用カバー内に溜まることも考えられる。
【０００５】
そこで、電線用カバー内に溜まった水分を排出するため、水抜き孔を設ける技術（例えば、特許文献２）や、水抜き用の凹溝を設ける技術（例えば、特許文献３）が提案されている。さらには、電線用カバーの両端部に粘着テープ等を巻き付けることによって外部からの雨水等が浸入しにくくする施策が一般に施されており、これとは別に、電線用カバー内に外部からの雨水等が浸入するのを防止する技術も提案されている（例えば、特許文献４）。
【先行技術文献】
【特許文献】
【０００６】
【特許文献１】特開２００３−２６４９１７号公報
【特許文献２】実開昭４８−１１３０００号公報
【特許文献３】特開昭５７−１８３２１１号公報
【特許文献４】特開２０１１−２５０５９９号公報
【発明の概要】
【発明が解決しようとする課題】
【０００７】
しかしながら、単に水抜き用の「孔」を設けるだけでは電線用カバー内に溜まった水分を排出することが十分に行われず、また、その水抜き孔を通って雨水が電線用カバー内に浸入してくるおそれもあった。さらに、粘着テープ等を巻き付ける等して外部からの雨水等の浸入を困難にさせると、逆に電線用カバー内に溜まった水分の排出も困難になってしまうという問題があった。
【０００８】
本発明は、このような課題に鑑みてなされたものであり、その目的は、電線用カバー内の水分を効率よく排出することができるとともに、雨水等が電線用カバー内に浸入するおそれを低減できる電線用カバーを提供することにある。
【課題を解決するための手段】
【０００９】
本発明の一局面によれば、
互いに組み合わされることによって電線の外側を覆う筒状体となる一対の半筒体を備える電線用カバーであって、
前記半筒体の両端部には、前記電線用カバーの内外を連通する水抜き孔が形成されており、
前記水抜き孔よりも内側には、前記電線用カバーの内側から外側に向けて、前記電線用カバーの長手方向の中心軸から離間する方向に傾斜する内側テーパー部が形成されていることを特徴とする電線用カバーを提供する。
【００１０】
好適には、前記水抜き孔は、外側に向けて高さ寸法が徐々に高くなる形状となっている。
【００１１】
好適には、前記水抜き孔の内側端部には、前記中心軸から離間する方向に突設されたフランジ部が設けられている。
【００１２】
好適には、前記水抜き孔は、前記筒状体の長手方向の中心軸を中心として放射状に複数設けられている。
【発明の効果】
【００１３】
本発明によれば、電線用カバー内の水分を効率よく排出することができるとともに、雨水等が電線用カバー内に浸入するおそれを低減することができ、短絡が生じる可能性をより低減できる電線用カバーを提供できた。
【図面の簡単な説明】
【００１４】
【図１】本発明が適用された電線用カバー１０の開いた状態を示す斜視図である。
【図２】本発明が適用された電線用カバー１０の開いた状態における内側を示す正面図である。
【図３】本発明が適用された半筒体１２における電線挟持部２２を中心とした拡大正面図である。なお、説明の便宜のため、一部の構造を省略して描いている。
【図４】本発明が適用された半筒体１２，１４における電線挟持部２２を中心とした拡大背面図である。
【図５】水抜き孔１００を中心とした拡大正面図である。
【図６】本発明が適用された半筒体１２，１４を閉じた状態における、水抜き孔１００を示す断面図である。
【図７】電線用カバー１０を取り付ける電線を示す図である。
【図８】電線用カバー１０を電線に掛けた状態を示す図である。
【図９】電線用カバー１０を電線に掛けた状態を示す図である。
【図１０】電線用カバー１０を電線に取り付ける作業が完了した状態を示す図である。
【図１１】電線用カバー１０内に電線を嵌め込んだ状態を示す図である。
【発明を実施するための形態】
【００１５】
（電線用カバー１０の構成）
図１および図２は、本発明が適用された実施形態に係る電線用カバー１０を示す。この電線用カバー１０は、一対の半筒体１２，１４およびヒンジ１６を備えており、これら半筒体１２，１４が互いに組み合わされることによって電線の外側を覆う筒状体となる。両半筒体１２，１４は互いに対向する縁部がヒンジ１６によって接続され、一体的に形成されている。また、両半筒体１２，１４は、上記ヒンジ１６を中心として基本的に互いに線対称に形成されている。そこで、以下では半筒体１２の構成について詳細に説明し、半筒体１４については基本的に半筒体１２についての説明を援用して半筒体１２と異なる部分についてのみ説明する。
【００１６】
なお、本明細書全体を通して、電線の内部にある通電部材を芯線Ｓといい、当該芯線Ｓの外側を覆う絶縁部材を被覆Ｈといい、さらに、被覆Ｈによって覆われた芯線Ｓの全体を被覆電線Ｌあるいは単に電線という。
【００１７】
半筒体１２は、大略、本体部２０と、この本体部２０の両端部にそれぞれ形成された電線挟持部２２と、本体部２０におけるヒンジ１６が形成された端部とは反対側の端部に設けられた係着部２４とを有しており、これらが一体となって半筒体１２を構成している。もちろん、本体部２０や電線挟持部２２等を別体として形成し、然る後、接着等の手段で組み合わせて半筒体１２を構成してもよい。また、ヒンジ１６は、必須の構成要素ではなく、一対の半筒体１２，１４を別体として形成し、これらを嵌め合わせ等の手段で組み合わせて筒状体を形成してもよい。
【００１８】
本体部２０は、長手方向に延びる半筒状の部材である。また、本体部２０の内側外端部には、長手方向に延び、両半筒体１２，１４が組み合わされた際に電線が収容される内部空間を水密する庇部３１が突設されている。
【００１９】
半筒体１２における本体部２０の内面３０には、一対の電線保持部３２が形成されている。各電線保持部３２は、本体部２０の長手方向中心から等しい距離だけ離間した位置に配置されている。また、電線保持部３２は、それぞれ一対の保持体３４で構成されている。また、一対の保持体３４には芯線Ｓの外周面に沿うように形成された円弧状の切欠き３５が形成されている。さらに、一対の保持体３４は、芯線Ｓの径寸法よりも狭く離間するように配設されている。なお、電線保持部３２の態様はこれに限定されるものではなく、ひとつの保持体３４でひとつの電線保持部３２を形成してもよいし、一対の保持体３４を芯線Ｓの径寸法よりもやや広く離間するように配置させて、これら一対の保持体３４間に芯線Ｓが嵌まり込むようにしてもよい。
【００２０】
また、半筒体１４における本体部２０の内面３０には、一対の電線押さえ部４２が形成されている。各電線押さえ部４２は、半筒体１２に形成された各電線保持部３２と対応する位置に配置されている。つまり、後述するように、半筒体１２および１４を組み合わせて電線を挟み込んだとき、電線保持部３２における円弧状の切欠き３５と電線押さえ部４２とで芯線Ｓを挟持できるようになっている。
【００２１】
電線挟持部２２は、上述のように本体部２０の両端部に設けられており、図３および図４に示すように、本体部２０に続いて電線用カバー１０の長手方向中心に近い位置に形成された半円柱状部２６と、それに続く位置に形成された半円錐台状部２８と、半円柱状部２６の外側を覆う外側覆部２９とを有している。半円錐台状部２８は、円錐台をその中心軸を含む面で半分に割ったような形状を有している。つまり、半円錐台状部２８は、電線用カバー１０の長手方向中心から離間するにつれてその径が小さくなるような内部形状を有している。
【００２２】
なお、半円錐台状部２８の先端部の径Ｄ１（図３を参照）は、電線用カバー１０が取り付けられる被覆電線Ｌの径よりもやや小さく形成されている。また、半円錐台状部２８には長手方向に延びる切欠き３６が形成されており、半円錐台状部２８はこの切欠き３６で一部分離された複数の保持片３８を有している。これにより、電線用カバー１０を取り付ける被覆電線Ｌの径が予定よりも少し大きいものであっても、保持片３８の先端がそれに応じて拡径することによって被覆電線Ｌの径に対応することができる。
【００２３】
また、半円柱状部２６の内面には、被覆電線Ｌの外面に当接することにより、当該被覆電線Ｌの表面を伝って外部から雨水や虫やゴミなどが電線用カバー１０内に侵入するのを防止する短冊状の雨水浸入防止用舌片４０が複数突設されている。
【００２４】
外側覆部２９は、上述のように半円柱状部２６の外側を覆う部分である。当該外側覆部２９の内面と半円柱状部２６の外面とは互いに離間しており、この間が水抜き孔１００となる。
【００２５】
図５を用いて、本実施形態における半円柱状部２６および外側覆部２９の形状を詳述することにより、この水抜き孔１００の構造を説明する。
【００２６】
水抜き孔１００とは、半円柱状部２６の外面と、外側覆部２９の内面との間の空間（図５中、斜線で示す部分）をいう。
【００２７】
半円柱状部２６の外面形状は、電線用カバー１０の長手方向の内側から外側に向けて、長手方向の中心軸Ｃに近づく方向に傾斜する水抜き孔テーパー部５０と、当該水抜き孔テーパー部５０における電線用カバー１０の内側端において、中心軸Ｃから離間する方向に突設されたフランジ部５２とで規定されている。また、水抜き孔テーパー部５０とフランジ部５２との間には、段５４が形成されている。
【００２８】
次に、外側覆部２９の内面形状は、半筒体１２の本体部２０における内面３０から続いて中心軸Ｃに対してほぼ垂直方向に離間する段部６１と、当該段部６１から続く、電線用カバー１０の長手方向の内側から外側に向けて、中心軸Ｃから離間する方向に傾斜する内側テーパー部６０と、当該内側テーパー部６０の外側端から続く、中心軸Ｃと略平行な水平部６２とで規定されている。
【００２９】
これにより、本実施形態における水抜き孔１００は、電線用カバー１０の内外を連通するようになっている。また、上述のように、当該水抜き孔１００よりも内側には、電線用カバー１０の内側から外側に向けて、電線用カバー１０の長手方向の中心軸Ｃから離間する方向に傾斜する内側テーパー部６０が形成されている。
【００３０】
さらに、水抜き孔１００は、中心軸Ｃと略平行な水平部６２と、電線用カバー１０の内側から外側に向けて当該中心軸Ｃに近づく方向に傾斜する水抜き孔テーパー部５０との間の空間であることから、当該水抜き孔１００は、電線用カバー１０の外側に向けて高さ寸法ＨＤが徐々に高くなる形状となっている。
【００３１】
また、水抜き孔テーパー部５０における電線用カバー１０の内側端において、中心軸Ｃから離間する方向に突設されたフランジ部５２が設けられていることから、半円柱状部２６の外面と、外側覆部２９の内面との間の距離ＬＤは、当該フランジ部５２において最も短くなっている。加えて、半円柱状部２６の外面における水抜き孔テーパー部５０とフランジ部５２との間には段５４が形成されていることから、半円柱状部２６の外面と、外側覆部２９の内面との間の距離ＬＤは、フランジ部５２から水抜き孔テーパー部５０に移るときにおいて、急激に長く（広く）なる。
【００３２】
また、本実施形態では、図６に示すように、上述したような水抜き孔１００は、電線用カバー１０の中心軸Ｃを中心として放射状にかつ円周方向に略均等な間隔で８つ構成されているが、水抜き孔１００の数はこれに限定されるものではなく、２つ以上であればいくつでもよい。
【００３３】
図１および図２に戻り、係着部２４は、本実施形態の場合、３組の係着具７０と、ひとつの把持部７４とを備えている。
【００３４】
係着具７０は、電線用カバー１０をヒンジ１６で折り曲げて半筒体１２，１４を互いに組み合わせた状態を保持するためのものである。一方の半筒体（本実施形態では半筒体１２）には雄係着具７６が形成されており、他方の半筒体（本実施形態では、半筒体１４）には雌係着具７８が形成されている。
【００３５】
把持部７４は、一方の半筒体１２，１４（本実施形態では半筒体１２）における中央の
係着具７０（雄係着具７６）となりから突設された舌片であり、電線用カバー１０を電線に取り付ける際にヤットコ等の把持工具で把持される部分である。把持部７４の数は、本実施形態のような個数（ひとつ）に限定されるものではなく、２つ以上でもよい。また、半筒体１２，１４に対する把持部７４の付け根部分を薄肉に形成しておき、電線に電線用カバー１０を取り付け終えた後に半筒体１２，１４から把持部７４を捩り取ることができるようにしてもよい。
【００３６】
（実施形態に係る電線用カバー１０の取り付け手順）
上述した電線用カバー１０の電線への取り付け手順を簡単に説明する。図７に示すように、被覆電線Ｌの中間部に露出させた芯線Ｓに対して、電線用カバー１０における一対の電線保持部３２同士の離間距離は、当該露出させた芯線Ｓの長さよりやや短めに設定されている。もちろん、露出させた芯線Ｓに限定されず、切断された架空配電線の端部の芯線Ｓ同士を直線スリーブや他の方法で接続させた部分にも本実施形態に係る電線用カバー１０を使用することができる。
【００３７】
次に、把持工具で把持部７４を把持して、電線保持部３２を構成する一対の保持体３４における切欠き３５に芯線Ｓをあてがう。このとき、本体部２０に形成された一対の電線保持部３２間に芯線Ｓが位置するとともに、被覆電線Ｌが電線挟持部２２（あるいは、電線挟持部２２における半円錐台状部２８の先端部）の中心軸に沿うように位置決めする。
【００３８】
然る後、図８に示すように、図示しない把持工具で把持部７４を把持して電線用カバー１０の位置を保持しつつ、他方の半筒体１２，１４（本実施形態では半筒体１４）にバインド打ち器等のフック型工具を掛けて下方向に引き、ヒンジ１６を中心として電線用カバー１０を折り曲げることによって両半筒体１２，１４を閉じていく。これにより、図９に示すように、電線用カバー１０は電線を覆ってほぼ閉じた状態を維持するとともに、図示しない把持工具による下向きの引っ張り力によって、ヒンジ１６が鉛直上向き、そして、把持部７４がほぼ鉛直下向きとなる適正な位置を維持できる。この状態で把持部７４を把持していた把持工具を外しても電線用カバー１０が電線から落下する等の問題は生じない。
【００３９】
最後に、フック型工具を掛けた状態のまま、把持工具等を用いて、互いに対応する雄係着具７６と雌係着具７８とを互いに係着させる。その後、フック型工具を取り外す。これにより、図１０に示すように、両半筒体１２，１４が電線を覆った状態で互いに固定され、電線用カバー１０の電線への取り付けが完了する。
【００４０】
（実施形態に係る電線用カバー１０の特徴）
（１）
上述のように、図５を参照して、本実施形態における水抜き孔１００よりも内側には、電線用カバー１０の内側から外側に向けて、電線用カバー１０の長手方向の中心軸Ｃから離間する方向に傾斜する内側テーパー部６０が形成されている。これにより、当該水抜き孔１００が中心軸Ｃよりも鉛直下方にある場合、内側テーパー部６０は、電線用カバー１０の内側から外側に向かう下り傾斜となり、電線用カバー１０内の水分がこの下り傾斜によって外側に排出されやすくなる。
【００４１】
（２）
また、水抜き孔１００は、電線用カバー１０の外側に向けて高さ寸法ＨＤが徐々に高くなる形状となっている。内側テーパー部６０を下ってきて水抜き孔１００に入った水分は、半円柱状部２６の外面および外側覆部２９の内面との流体摩擦を受けることによって外側への流出を抑制する抵抗を受けるが、水抜き孔１００を外側に向けて高さ寸法ＨＤが徐々に高くなる形状とすることにより、当該抵抗を受け難くして、水分の排出を良好に維持することができる。
【００４２】
（３）
さらに、半円柱状部２６の外面と外側覆部２９の内面との間の距離ＬＤを、当該フランジ部５２において最も短く、かつ、半円柱状部２６の外面と外側覆部２９の内面との間の距離を、フランジ部５２から水抜き孔テーパー部５０に移るときにおいて急激に長く（広く）することにより、上述した特徴（１）および（２）と相まって、フランジ部５２を通過した水分によってフランジ部５２よりも内側にある水分が外側へ誘引されることにより、電線用カバー１０内の水分がより効率よく排出されることが期待される。
【００４３】
（４）
また、本実施形態における水抜き孔１００の形状であれば、上述したように電線用カバー１０内の水分を効率よく排出できるだけでなく、当該水抜き孔１００が中心軸Ｃよりも鉛直上方にある場合、雨水等の水分が当該水抜き孔１００を通して電線用カバー１０内に浸入する可能性を低減できる。すなわち、水抜き孔１００が中心軸Ｃよりも鉛直上方にある場合、内側テーパー部６０は、電線用カバー１０の内側から外側に向かって突出することとなり、水抜き孔１００を通って浸入してきた水分は当該内側テーパー部６０に当たる。これにより、浸入してきた水分が有する内側向きの勢いはなくなり、本体部２０内に入った当該水分はそのまま鉛直下方に落下し、そこにある別の（下り傾斜の）内側テーパー部６０から、対応する水抜き孔１００を通って外側へ排出される。
【００４４】
（５）
また、水抜き孔１００が中心軸Ｃよりも鉛直上方にある場合、半円柱状部２６の水抜き孔テーパー部５０は外側向きに下り傾斜となることから、当該水抜き孔１００を通って浸入しようとする水分はこの下り傾斜を逆に上らなければならず、結果として、外側からの水分が水抜き孔１００を通過して本体部２０内に入るのが困難である。
【００４５】
（６）
さらに、水抜き孔１００が中心軸Ｃよりも鉛直上方にある場合、水抜き孔テーパー部５０における電線用カバー１０の内側端において中心軸Ｃから離間する方向に突設されたフランジ部５２は「堰」の役割を果たすようになり、下り傾斜の水抜き孔テーパー部５０を上ってきた水分はこの「堰」（＝フランジ部５２）を乗り越えなければ電線用カバー１０内に浸入することはできない。このフランジ部５２の存在により、外側からの水分が水抜き孔１００を通過して本体部２０内に入るのをさらに困難にすることができる。
【００４６】
（７）
また、水抜き孔１００は、電線用カバー１０の中心軸Ｃを中心として放射状にかつ円周方向に略均等な間隔で複数構成されているので、電線に取り付けた電線用カバー１０が当該電線を中心に不所望に回転した場合であっても、いずれかの水抜き孔１００が鉛直下方に位置するので電線用カバー１０内の水分を排出できる。もちろん、その際に鉛直上方に位置する水抜き孔１００を通して外側からの雨水等は浸入し難いようになっているのは上述の通りである。
【００４７】
（８）
また、本実施形態に係る電線用カバー１０における本体部２０の内面には、一対の電線保持部３２が形成されている。これにより、図１１に示すように、芯線Ｓを露出させた位置を中心として電線用カバー１０を取り付けたとき、電線保持部３２における一対の保持体３４同士は芯線Ｓの露出寸法よりもやや狭く離間して配置されていることから、電線の長手方向に電線用カバー１０が移動しようとしても、芯線Ｓよりも径が大きい被覆電線Ｌが保持体３４に当接する。これにより、電線の長手方向に対して、電線用カバー１０が不所望に移動してしまうのを防止することができる。
【００４８】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００４９】
１０…電線用カバー、１２…半筒体、１４…半筒体、１６…ヒンジ
２０…本体部、２２…電線挟持部、２４…係着部、２６…半円柱状部、２８…半円錐台状部、２９…外側覆部、
３０…内面、３１…庇部、３２…電線保持部、３４…保持体、３５…切欠き、３６…切欠き、３８…保持片、４０…雨水浸入防止用舌片、４２…電線押さえ部
５０…（半円柱状部５０の）水抜き孔テーパー部、５２…（半円柱状部５０の）フランジ部、５４…段、
６０…（外側覆部２９の）内側テーパー部、６１…段部、６２…（外側覆部２９の）水平部、
７０…係着具、７４…把持部、７６…雄係着具、７８…雌係着具
１００…水抜き孔
Ｌ…被覆電線、Ｓ…芯線、Ｈ…被覆
【図１】
2019186995.tif 000003
【図２】
2019186995.tif 000004
【図３】
2019186995.tif 000005
【図４】
2019186995.tif 000006
【図５】
2019186995.tif 000007
【図６】
2019186995.tif 000008
【図７】
2019186995.tif 000009
【図８】
2019186995.tif 000010
【図９】
2019186995.tif 000011
【図１０】
2019186995.tif 000012
【図１１】
2019186995.tif 000013